(57)【要約】【課題】必要な時にスタンド本体の後方にキーボード等を取付けることができる手術顕微鏡用スタンド装置のトレイ構造を提供する。【解決手段】スタンド本体４の後方のハンドル７に対してアーム１４の下端を取付けることができ、そのアーム１４の上端にトレイ本体２４を取付けることができるため、トレイ本体２４の上面にキーボード１２等を載せて利用することができる。上側固定板１５と下側固定板１６で取付ける構造のため、必要になった時に後からでもスタンド本体４に取付けることができる。【選択図】        図２
2019107200.tif 000002
【特許請求の範囲】
【請求項１】
手術顕微鏡を支持するスタンド装置のスタンド本体の後方に、スタンド本体の両側の側面に対応するサイド部と、後面に対応するリヤ部とから一体形成され、スタンド本体から若干離れた状態でスタンド本体の左右両側の側面から後面に回り込む形状のパイプ製或いは棒製のハンドルが取付けられ、
スタンド本体の後方に、使用時に水平状態となり、不使用時にスタンド本体側に収納可能なトレイを取付けた手術顕微鏡用スタンド装置のトレイ構造であって、
前記トレイが、
各サイド部から斜め後方へ立ち上がり、下端にそれぞれサイド部の上面に当接する上側固定板が一体形成された左右一対のアームと、
上側固定板に対して取付手段により取付けられ、サイド部の下面に当接して上側固定板との間でサイド部を挟持する下側固定板と、
前端がアームの上端に対して回動自在に取付けられ、前端から後方へ少し離れた下面の左右両側に第１当接部が設定され且つ前端の左右両側に上方へ突出した第２当接部が形成されたトレイ本体と、
各アームの内面にそれぞれ取付けられた状態で先端が後方へ突出し、トレイ本体の水平支持状態でその先端がトレイ本体の第１当接部に当接する第１ストッパと、
各アームの内面から内向きに突設され、トレイ本体を上側に回動させてトレイの後端を前端よりも前側に位置させた収納状態でトレイ本体の第２当接部と当接する第２ストッパと、
から構成されていることを特徴とする手術顕微鏡用スタンド装置のトレイ構造。
【請求項２】
第１当接部がトレイ本体の下面に固定されたブロック形状をしていることを特徴とする請求項１記載の手術顕微鏡用スタンド装置のトレイ構造。
【発明の詳細な説明】
【技術分野】
【０００１】
本発明は手術顕微鏡用スタンド装置のトレイ構造に関する。
【背景技術】
【０００２】
手術顕微鏡用のスタンド装置はスタンド本体から前方に延びる水平支持部の先端に手術顕微鏡を支持している。スタンド本体の後方には、スタンド装置を移動させる時に手でつかんで押したり引いたりするためのハンドルが設けられている。ハンドルはスタンド本体の左右両側の側面から後面に回り込んだ形状で、手でつかむためにスタンド本体から若干離れた状態で固定されている。（例えば、特許文献１参照）
【先行技術文献】
【特許文献】
【０００３】
【特許文献１】特開２００９−１３６５８１号公報
【発明の概要】
【発明が解決しようとする課題】
【０００４】
しかしながら、このような手術顕微鏡用スタンド装置において、手術の内容によってはキーボードやノートパソコン等を必要な時にスタンド本体に取付けたいという要請がある。スタンド本体の前側には手術顕微鏡が支持されているため、スタンド本体の後方にキーボード等を取付けたいという希望があるが、今まではそれを取付ける手段がないため諦めていた。
【０００５】
本発明は、このような背景に着目してなされたものであり、必要な時にスタンド本体の後方にキーボード等を取付けることができる手術顕微鏡用スタンド装置のトレイ構造を提供することを目的としている。
【課題を解決するための手段】
【０００６】
本発明の第１の技術的側面によれば、手術顕微鏡を支持するスタンド装置のスタンド本体の後方に、スタンド本体の両側の側面に対応するサイド部と、後面に対応するリヤ部とから一体形成され、スタンド本体から若干離れた状態でスタンド本体の左右両側の側面から後面に回り込む形状のパイプ製或いは棒製のハンドルが取付けられ、スタンド本体の後方に、使用時に水平状態となり、不使用時にスタンド本体側に収納可能なトレイを取付けた手術顕微鏡用スタンド装置のトレイ構造であって、前記トレイが、各サイド部から斜め後方へ立ち上がり、下端にそれぞれサイド部の上面に当接する上側固定板が一体形成された左右一対のアームと、上側固定板に対して取付手段により取付けられ、サイド部の下面に当接して上側固定板との間でサイド部を挟持する下側固定板と、前端がアームの上端に対して回動自在に取付けられ、前端から後方へ少し離れた下面の左右両側に第１当接部が設定され且つ前端の左右両側に上方へ突出した第２当接部が形成されたトレイ本体と、各アームの内面にそれぞれ取付けられた状態で先端が後方へ突出し、トレイ本体の水平支持状態でその先端がトレイ本体の第１当接部に当接する第１ストッパと、各アームの内面から内向きに突設され、トレイ本体を上側に回動させてトレイの後端を前端よりも前側に位置させた収納状態でトレイ本体の第２当接部と当接する第２ストッパと、から構成されていることを特徴とする。
【０００７】
本発明の第２の技術的側面によれば、第１当接部がトレイ本体の下面に固定されたブロック形状をしていることを特徴とする。
【発明の効果】
【０００８】
本発明の第１の技術的側面によれば、スタンド本体後方のハンドルに対してアームの下端を取付けることができ、そのアームの上端にトレイ本体を取付けることができるため、トレイ本体の上面にキーボード等を載せて利用することができる。アームは上側固定板と下側固定板によりハンドルのサイド部を挟み込んで取付ける構造のため、必要になった時に後からでもスタンド本体に取付けることができる。取付けられたトレイ本体は使用時は第１当接部に第１ストッパが下側から当接するため水平状態が維持され、使用しない時はトレイ本体を上側に回動させると、第２当接部が第２ストッパに当接した収納状態となるため、トレイ本体が邪魔にならない。スタンド装置を移動させる場合は、左右のアームの間でハンドルを握れるため問題ない。
【０００９】
本発明の第２の技術的側面によれば、第１当接部がトレイ本体の下面に固定されたブロック形状をしているため、第１当接部の剛性が高く、トレイ本体の水平維持状態がより確実になる。
【図面の簡単な説明】
【００１０】
【図１】スタンド装置の側面図。
【図２】トレイを示す斜視図。
【図３】トレイを示す分解斜視図。
【図４】トレイ本体の水平状態を示す側面図。
【図５】トレイ本体の収納状態を示す側面図。
【図６】図２中矢示ＳＡ−ＳＡ線に沿う断面図。
【発明を実施するための形態】
【００１１】
図１〜図６は本発明の好適な実施形態を示す図である。以上及び以下において前後方向は図１に示された通りである。
【００１２】
スタンド装置１はフロア上にベース２を介して設置されている。ベース２の四隅にはキャスター３が設けられている。スタンド装置１にはスタンド本体４の上部から前方に延びる水平支持部５が設けられており、その先端に手術顕微鏡６が支持されている。
【００１３】
スタンド本体４の後方にはハンドル７が取付けられている。このハンドル７は金属パイプ製で、スタンド本体４の両側の側面８に対応するサイド部９と、後面１０に対応するリヤ部１１とから一体形成されている。ハンドル７はスタンド本体４から若干離れた状態でスタンド本体４の後側を回り込むように取付けられ、サイド部９の前端でスタンド本体４に固定されている。
【００１４】
このハンドル７はスタンド装置１を移動させる際に使用される。ハンドル７をつかんでスタンド装置１を押したり引いたりすることにより、スタンド装置１はキャスター３によりフロア上を移動することができる。ハンドル７がスタンド本体４から若干離れた状態で固定されているため手でハンドル７をつかみやすい。
【００１５】
このようなスタンド装置１を使用する場合、手術の内容によってはスタンド本体４にキーボード１２やノートパソコン或いはその他の物を取付けたい場合がある。スタンド本体４の前側には手術顕微鏡６が支持されているため、キーボード１２等を取付けるとしたらスタンド本体４の後側になる。
【００１６】
次にキーボード１２を取付ける例を説明する。
【００１７】
キーボード１２を取付けるためにトレイ１３が用いられる。このトレイ１３は必要な場合にハンドル７に取付けられてキーボード１２を載せて使用することができる。
【００１８】
トレイ１３は左右一対のアーム１４を有している。このアーム１４は斜め後方へ立ち上がる形状で、下端には左右外側に曲折した上側固定板１５が一体形成されている。左右の上側固定板１５の下方には上側固定板１５と同様の形状を有する下側固定板１６がそれぞれ別物として設けられている。上側固定板１５にはアーム１４寄りに小孔１７が形成され、下側固定板１６には対応する位置にネジ孔１８が形成されている。
【００１９】
アーム１４は上側固定板１５をサイド部９の上面に当接させた状態とし、その下に下側固定板１６をサイド部９の下面に当接させた状態で保持し、上側固定板１５の小孔１７から長ネジ（取付手段）１９を挿入してその先端を下側固定板１６のネジ孔１８に螺合させる。長ネジ１９を締めていくと下側固定板１６が上側に押しつけられる。従って上側固定板１５と下側固定板１６の間でサイド部９を上下で挟持することができ、アーム１４はサイド部９に対して固定され、斜め後方へ立ち上がった状態が維持される。長ネジ１９がサイド部９と側面８との間に位置するため、アーム１４がサイド部９から外側へ外れることはない。
【００２０】
アーム１４の内面には「くの字」状に曲折した第１ストッパ２０が固定されている。第１ストッパ２０の先端２１は後方へ突出した上向き状態で、アーム１４の上端２２の斜め下方に位置している。第１ストッパ２０と上端２２の間の内面には内向きに突設したピン状の第２ストッパ２３が形成されている。
【００２１】
左右のアーム１４の上端２２の間にはトレイ本体２４の前端２５が回転自在に取付けられる。スタンド本体４は周囲が立ち上がった浅い角形の容器形状でその上にキーボード１２が図示せぬフックにより固定されている。
【００２２】
トレイ本体２４の前端２５から後方へ少し離れた下面の左右両側にはブロック形状の第１当接部２６が形成されている。またトレイ本体２４の前端２５おける左右両側には上方へ突出した第２当接部２７が形成されている。
【００２３】
キーボード１２を固定したトレイ本体２４は水平状態でその第１当接部２６に第１ストッパ２０の先端２１が下側から当接するため、水平状態が維持され、キーボード１２を安定して使用することができる。第１当接部２６がトレイ本体２４の下面に固定されたブロック形状をしているため、第１当接部２６の剛性が高くトレイ本体２４の水平維持状態が確実である。
【００２４】
キーボード１２の使用が終了したらトレイ本体２４を上側に回動させる。そうするとトレイ本体２４が後面１０に当たる手前でその後端２８が前端２５よりも前方に位置した収納状態となり、その収納状態で第２当接部２７が第２ストッパ２３に当接し、トレイ本体２４が斜め前方に傾いた収納状態はそのまま維持される。トレイ本体２４が水平状態で後方に突出しないため、スタンド装置１を移動させる際にハンドル７をつかみやすい。
【符号の説明】
【００２５】
４  スタンド本体
６  手術顕微鏡
７  ハンドル
８  側面
１０  後面
１２  キーボード
１３  トレイ
１４  アーム
１９  長ネジ（取付手段）
２０  第１ストッパ
２３  第２ストッパ
２４  トレイ本体
２６  第１当接部
２７  第２当接部
【図１】
2019107200.tif 000003
【図２】
2019107200.tif 000004
【図３】
2019107200.tif 000005
【図４】
2019107200.tif 000006
【図５】
2019107200.tif 000007
【図６】
2019107200.tif 000008